【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
トーラス又はそれよりも高基数の相互接続構造に実装された直接相互接続ネットワークの配線及び成長を管理する方法であって、
前記コネクタの各々に相互接続プラグを有する複数のコネクタを有する少なくとも１つのコネクタボードを含む受動パッチパネルを実装するステップと、
前記サーバを前記相互接続構造に追加するためにサーバに収容されたＰＣＩｅカードに取り付けられた接続ケーブルで前記プラグを取り替えるステップと、
前記相互接続構造に対する前記サーバの接続性を発見するステップと、
前記サーバが前記相互接続構造に追加されたことに基づいて、前記相互接続構造のトポロジを発見するステップと、
を含むことを特徴とする方法。
【請求項２】
直接相互接続ネットワーク内に、該相互接続ネットワークの既存の実装に影響を与えずに新たなサーバを追加する際に、展開の複雑性を低減して配線の単純化を促す方法であって、
前記相互接続ネットワークの各接続を最初に閉じる相互接続プラグを用いて、受動パッチパネルによって収容された受動プリント基板に相互接続されたコネクタを装着するステップと、
前記相互接続プラグの各々を、サーバ内に収容されたＰＣＩｅカードに取り付けられた接続ケーブルに交換して、前記相互接続ネットワークに前記サーバを追加するステップと、
前記相互接続ネットワークに対するサーバの接続性を発見するステップと、
前記相互接続ネットワークに追加された前記サーバに基づいて、前記相互接続ネットワークのトポロジを発見するステップと、
を含むことを特徴とする方法。
【請求項３】
前記受動パッチパネルは、少なくとも３つのフィールド：
２Ｄトーラス相互接続ネットワークを実装するためのコネクタの主フィールド、
３Ｄトーラス相互接続ネットワークに前記ネットワークを拡張するためのコネクタの第２のフィールド、及び
４Ｄトーラス相互接続ネットワークに前記ネットワークを拡張するためのコネクタの第３フィールド
を含むことを特徴とする請求項２に記載の方法。
【請求項４】
前記主フィールドは、７×６のトーラス構成で４２個のコネクタを含み、
前記第２のフィールドは、６個ずつ２つのグループで１２個のコネクタを含み、
前記第３のフィールドは、６個ずつ２つのグループで１２個のコネクタを含むこと
を特徴とする請求項３に記載の方法。
【請求項５】
前記受動パッチパネルは、少なくとも３つのフィールド：
Ｎ次元でトーラス相互接続ネットワークを実装するためのコネクタの主フィールド、
Ｎ＋１次元のトーラス相互接続ネットワークに前記ネットワークを拡張するためのコネクタの第２のフィールド、及び
Ｎ＋２次元のトーラス相互接続ネットワークに前記ネットワークを拡張するためのコネクタの第３フィールド
を含み、
Ｎは少なくとも３であることを特徴とする請求項２に記載の方法。
【請求項６】
トーラス又はそれよりも高基数の相互接続の実装において使用する光学的受動パッチパネルであって、
トーラス又はそれよりも高基数の相互接続のノード間接続性を収容し、複数の光学的コネクタを含む、受動プリント基板と、
光ファイバを用いて相互接続された複数の光学的コネクタを含む、少なくとも１つのコネクタボードと、
各コネクタは、最初に全ての接続を閉じるために、光学的相互接続プラグによって装着され、
前記プラグの各々は、相互接続ネットワークを構築するために、サーバからのＰＣＩｅカードに取り付けられたケーブルに交換できること
を特徴とする光学的受動パッチパネル。
【請求項７】
ファイバ相互接続を用いて光波長多重及び光波長多重分離を行うために光マルチプレクサ−デマルチプレクサさらに含むことを特徴とする請求項６に記載の光受動パッチパネル。
【請求項８】
トーラス又はそれよりも高基数の相互接続の実装において使用するための受動パッチパネルであって、
トーラス又はそれよりも高基数の相互接続のためのノード間接続を収容する受動プリント回路基板と、
複数のコネクタを備える前記受動型プリント回路基板に差し込まれた少なくとも１つのコネクタボードとを含み、
各コネクタは最初にすべての接続を最初に閉じる光相互接続プラグによって実装され、
前記コネクタの各々は最初にトーラス又はそれよりも高基数の相互接続の全ての接続を最初に閉じる相互接続プラグによって実装され、
前記プラグの各々は、相互接続ネットワークを構築するために、サーバからＰＣＩｅカードに取り付けられたケーブルによって置換されることが可能であることを特徴とする受動パッチパネル。
【請求項９】
前記受動パッチパネルは、電気的、光学的、又は電気的及び光学的なハイブリッドであることを特徴とする請求項８に記載のパッシブパッチパネル。
【請求項１０】
前記受動パッチパネルが光学的であることを特徴とする請求項９に記載の受動パッチパネル。
【請求項１１】
前記光受動パッチパネルは、同じファイバ上の複数の光波長を組み合わせることができることを特徴とする請求項１０に記載の受動パッチパネル。
【請求項１２】
前記受動パッチパネルは、電気的及び光学的なハイブリッドであり、
電気的接続性がラックレベルで提供され、光学的接続性がすべてのラック間または地理的に分散されたデータセンタ相互接続に提供されることを特徴とする請求項９に記載の受動パッチパネル。
【請求項１３】
前記相互接続プラグは、電気的または光学的である、請求項８から１２のいずれか１項に記載の受動パッチパネル。
【請求項１４】
前記複数のコネクタは、複数のコネクタのフィールド、つまり：
２Ｄトーラス相互接続ネットワークを実装するためのコネクタの主フィールド、
３Ｄトーラス相互接続ネットワークに前記ネットワークの拡張を可能にするコネクタの第２のフィールド、及び
４Ｄトーラス相互接続ネットワークに前記ネットワークの拡張を可能にするコネクタの第３フィールド
を含むことを特徴とする請求項６から１２のいずれか１項に記載の受動パッチパネル。
【請求項１５】
前記主フィールドは、７×６のトーラス構成で４２個のコネクタを含み、
前記第２のフィールドは、６個ずつ２つのグループで１２個のコネクタを含み、
前記第３のフィールドは、６個ずつ２つのグループで１２個のコネクタを含むこと
を特徴とする請求項１４に記載の受動パッチパネル。
【請求項１６】
前記プリント基板は、全てのコネクタに取り付けられた、受動抵抗器の組み合わせを使用する非動力式電子デバイスを含み、
コネクタに装着されたプラグが、ＰＣＩｅカードに取り付けられたケーブルによって交換されるとき、前記コネクタに取り付けられた前記デバイスは、前記コネクタのＩＤを得るために、前記ＰＣＩｅカード上で動作するソフトウェアによって照会されること
を特徴とする請求項１４又は１５に記載の受動パッチパネル。
【請求項１７】
前記複数のコネクタは、複数のコネクタのフィールド、つまり：
Ｎ次元でトーラス相互接続ネットワークを実装するためのコネクタの主フィールド、
Ｎ＋１次元のトーラス相互接続ネットワークに前記ネットワークを拡張するためのコネクタの第２のフィールド、及び
Ｎ＋２次元のトーラス相互接続ネットワークに前記ネットワークを拡張するためのコネクタの第３フィールドを含み、
Ｎは少なくとも３であること
を特徴とする請求項６から１２のいずれか１項に記載の受動パッチパネル。
【請求項１８】
前記プリント基板は、全てのコネクタに取り付けられた、受動抵抗器の組み合わせを使用する非動力式電子デバイスを含み、
コネクタに装着されたプラグが、ＰＣＩｅカードに取り付けられたケーブルによって交換されるとき、前記コネクタに取り付けられた前記デバイスは、前記コネクタのＩＤを得るために、前記ＰＣＩｅカード上で動作するソフトウェアによって照会されること
を特徴とする請求項１７に記載の受動パッチパネル。
【請求項１９】
複数のコネクタと共に追加のプリント基板は、ラックで使用され得るサーバの数を増やし、
前記プリント基板は、大容量コネクタを介してバックプレーンに接続されて、前記コネクタボードへの接続性を提供し、
前記ボード上の大容量コネクタは、ラック間のパッチパネルに使用されること
を特徴とする請求項８から１８のいずれか１項に記載の受動パッチパネル。
【請求項２０】
受動パッチパネルへのケーブルによって接続性を有するサーバ内に収容されたＰＣＩｅカードであって、
ＰＣＩ接続と
ＲＡＭ及びＲＯＭメモリを含むプロセッサと、
パケットスイッチと、
少なくとも１個のイーサネットＰＨＹインターフェイスデバイスと、
少なくとも８個のインターフェイスポートと、
を備えることを特徴とするＰＣＩｅカード。
【請求項２１】
前記ＰＣＩｅカードは、ポートからＰＣＩへのトラフィック、ヘアピン型トラフィック、及びａｄｄ／ｄｒｏｐを伴う通過トラフィックをサポートすることができること
を特徴とする請求項２０に記載のＰＣＩｅカード。
【請求項２２】
前記スイッチが電気的であることを特徴とする請求項２０又は２１に記載のＰＣＩｅカード。
【請求項２３】
前記スイッチが光学的であることを特徴とする請求項２０又は２１に記載のＰＣＩｅカード。
【請求項２４】
光波長多重に用いるＰＣＩｅカードであって、
ＰＣＩ接続と
ＲＡＭ及びＲＯＭメモリを含むプロセッサと、
フォトニクススイッチと、
少なくとも１個のイーサネットＰＨＹインターフェイスデバイスと、
光受信機と接続され、同じファイバ上の複数の光波長を組み合わせる第１のマルチプレクサ−デマルチプレクサと、
異なる波長における光送信機と接続され、同じファイバ上の複数の光波長を組み合わせる第２のマルチプレクサ−デマルチプレクサとを含み、
前記光ファイバは、複数のマルチプレクサ−デマルチプレクサを相互接続して、光学的直接相互接続トーラスネットワークを実装することを特徴とするＰＣＩｅカード。
【請求項２５】
前記ＰＣＩｅカードは、ポートからＰＣＩへのトラフィック、ヘアピン型トラフィック、及びａｄｄ／ｄｒｏｐを伴う通過トラフィックをサポートすることができること
を特徴とする請求項２４に記載のＰＣＩｅカード。
【請求項２６】
コンピュータサーバ及びストレージサーバのハイブリッド構成を実装するのに適したトーラス構造においてラックトップスイッチと共に請求項２４又は２５に記載のＰＣＩｅカードの使用であって、
前記ラックトップスイッチは、レイヤ２イーサネットスイッチであり、
前記ラックトップスイッチがトーラスノードであるトーラス構成において、サーバへの接続及び他のラックトップスイッチへの接続を提供すること
を特徴とするＰＣＩｅカードの使用。
【請求項２７】
トーラス又はそれよりも高基数の相互接続の実装において使用するＰＣＩｅカードであって、
前記トーラス又はそれよりも高基数の相互接続のための少なくとも４つの電気又は光ポートと、
ローカルスイッチと、
ＲＡＭ及びＲＯＭメモリを含むプロセッサと、
ＰＣＩインターフェイスと、
を備えることを特徴とするＰＣＩｅカード。
【請求項２８】
前記ローカルスイッチは、電気スイッチ又は光スイッチであること
を特徴とする請求項２７に記載のＰＣＩｅカード。
【請求項２９】
前記ＰＣＩｅカードは、ポートからＰＣＩへのトラフィック、ヘアピン型トラフィック、及びａｄｄ／ｄｒｏｐを伴う通過トラフィックをサポートすることができること
を特徴とする請求項２７又は２８に記載のＰＣＩｅカード。
【請求項３０】
前記ＰＣＩｅカードは、同じファイバ上の複数の光波長をさらに組み合わせることができること
を特徴とする請求項２７から２９のいずれか１項に記載のＰＣＩｅカード。